(57)【要約】  ワイヤレス通信のための方法、装置、およびコンピュータプログラム製品が提供される。本装置は受信信号中の推論を低減する。本装置は、複数のセルからの送信を含む信号を受信する。本装置は、複数のセルに関連する送信パラメータ仮説を決定する。送信パラメータ仮説からの各送信パラメータ仮説が、複数のセルからのすべてのセルに関連する送信パラメータのセットを含む。本装置は、各仮説に適用される第１のメトリックに基づいて少なくとも１つの送信パラメータ仮説を選択する。本装置は、複数のセルからの少なくとも１つのセルに関連する送信パラメータを改良する。改良することは、各セルに関連する第２のメトリックに基づいて少なくとも１つのセルに関連する送信パラメータの精度を個別に改善することを含む。
2016523010.tif 000002
【特許請求の範囲】
【請求項１】
受信信号中の推論を低減する方法であって、
複数のセルからの送信を含む信号を受信することと、
前記複数のセルに関連する送信パラメータ仮説を決定することと、前記送信パラメータ仮説からの各送信パラメータ仮説が、前記複数のセルからのすべてのセルに関連する送信パラメータのセットを含み、
各仮説に適用される第１のメトリックに基づいて少なくとも１つの送信パラメータ仮説を選択することと、
前記複数のセルからの少なくとも１つのセルに関連する送信パラメータを改良することと、前記改良することが、各セルに関連する第２のメトリックに基づいて前記少なくとも１つのセルに関連する前記送信パラメータの精度を個別に改善することを含み、
を備える、方法。
【請求項２】
前記選択することが、各仮説に関連する前記第１のメトリックに基づく送信パラメータ仮説のランキングに基づく、請求項１に記載の方法。
【請求項３】
前記改良することが、改良された信号を取得するために、前記受信信号からセルに関連する送信を減じることをさらに備え、前記減じられる送信が、前記第１のメトリックまたは前記第２のメトリックのうちの少なくとも１つに基づいて決定される、請求項１に記載の方法。
【請求項４】
各送信パラメータ仮説が、前記複数のセルからの各セルのためのセル固有送信パラメータを含み、前記改良することが、
前記複数のセルからの各セルのための前記第２のメトリックを決定することと、
低減された受信信号を取得するために、前記受信信号からセルに関連する送信を減じることと、前記減じられる送信が、最も高い第２のメトリックを有する前記複数のセルからのセルに基づいて決定され、
前記改良された信号に基づいて、１つまたは複数のセルのための更新されたセル固有送信パラメータを決定することと、
前記１つまたは複数のセルのための更新された第２のメトリックを決定することと、
をさらに備える、請求項１に記載の方法。
【請求項５】
決定するステップ、選択するステップ、および改良するステップを反復的に繰り返すことをさらに備え、ここにおいて、前記決定することの各後続の繰り返しが、前の改良するステップの結果を使用する、請求項１に記載の方法。
【請求項６】
前記送信パラメータが、変調オーダー、トラフィック対パイロット比（ＴＰＲ）、空間方式、または干渉送信があるかどうかのうちの少なくとも１つを備える、請求項１に記載の方法。
【請求項７】
前記空間方式が、セル固有基準信号（ＣＲＳ）ベースの送信またはユーザ機器（ＵＥ）固有基準信号（ＵＥ−ＲＳ）ベースの送信のうちの１つを備える、請求項６に記載の方法。
【請求項８】
前記ＣＲＳベースの送信が、空間周波数ブロックコード（ＳＦＢＣ）送信、ランク１送信、ランク２送信、またはより高いランク送信のうちの１つを備える、請求項７に記載の方法。
【請求項９】
前記ＵＥ−ＲＳベースの送信が送信ランク情報を備える、請求項７に記載の方法。
【請求項１０】
前記複数のセルのための前記送信パラメータ仮説を前記決定することが、
前記複数のセルの各々のための送信パラメータ仮説を決定することと、
各送信パラメータ仮説のための前記第１のメトリックを決定することと、
各送信パラメータ仮説に関連する前記第１のメトリックに基づいて前記複数の送信パラメータ仮説をランク付けすることと、
を備える、請求項１に記載の方法。
【請求項１１】
前記複数のセルの各々のための前記送信パラメータのための前記送信パラメータ仮説を前記決定することが、仮説のセットを決定することを備え、仮説の前記セットが、ｎ個の送信パラメータのための可能な値の各組合せのための仮説を含む、請求項１０に記載の方法。
【請求項１２】
受信信号中の推論を低減するための装置であって、
複数のセルからの送信を含む信号を受信するための手段と、
前記複数のセルに関連する送信パラメータ仮説を決定するための手段と、前記送信パラメータ仮説からの各送信パラメータ仮説が、前記複数のセルからのすべてのセルに関連する送信パラメータのセットを含み、
各仮説に適用される第１のメトリックに基づいて少なくとも１つの送信パラメータ仮説を選択するための手段と、
前記複数のセルからの少なくとも１つのセルに関連する送信パラメータを改良するための手段と、前記改良することが、各セルに関連する第２のメトリックに基づいて前記少なくとも１つのセルに関連する前記送信パラメータの精度を個別に改善することを含み、
を備える、装置。
【請求項１３】
選択するための前記手段が、各仮説に関連する前記第１のメトリックに基づく送信パラメータ仮説のランキングに基づいて前記少なくとも１つの送信パラメータ仮説を選択するように構成される、請求項１２に記載の装置。
【請求項１４】
改良するための前記手段が、改良された信号を取得するために、前記受信信号からセルに関連する送信を減じるように構成され、前記減じられる送信が、前記第１のメトリックまたは前記第２のメトリックのうちの少なくとも１つに基づいて決定される、請求項１２に記載の装置。
【請求項１５】
各送信パラメータ仮説が、前記複数のセルからの各セルのためのセル固有送信パラメータを含み、改良するための前記手段が、
前記複数のセルからの各セルのための前記第２のメトリックを決定することと、
低減された受信信号を取得するために、前記受信信号からセルに関連する送信を減じることと、前記減じられる送信が、最も高い第２のメトリックを有する前記複数のセルからのセルに基づいて決定され、
前記改良された信号に基づいて、１つまたは複数のセルのための更新されたセル固有送信パラメータを決定することと、
前記１つまたは複数のセルのための更新された第２のメトリックを決定することと、
を行うように構成される、請求項１２に記載の装置。
【請求項１６】
決定するステップ、選択するステップ、および改良するステップを反復的に繰り返すための手段をさらに備え、ここにおいて、前記決定することの各後続の繰り返しが、前の改良するステップの結果を使用する、請求項１２に記載の装置。
【請求項１７】
前記送信パラメータが、変調オーダー、トラフィック対パイロット比（ＴＰＲ）、空間方式、または干渉送信があるかどうかのうちの少なくとも１つを備える、請求項１２に記載の装置。
【請求項１８】
前記空間方式が、セル固有基準信号（ＣＲＳ）ベースの送信またはユーザ機器（ＵＥ）固有基準信号（ＵＥ−ＲＳ）ベースの送信のうちの１つを備える、請求項１７に記載の装置。
【請求項１９】
前記ＣＲＳベースの送信が、空間周波数ブロックコード（ＳＦＢＣ）送信、ランク１送信、ランク２送信、またはより高いランク送信のうちの１つを備える、請求項１８に記載の装置。
【請求項２０】
前記ＵＥ−ＲＳベースの送信が送信ランク情報を備える、請求項１８に記載の装置。
【請求項２１】
前記複数のセルのための前記送信パラメータ仮説を決定するための前記手段が、
前記複数のセルの各々のための送信パラメータ仮説を決定することと、
各送信パラメータ仮説のための前記第１のメトリックを決定することと、
各送信パラメータ仮説に関連する前記第１のメトリックに基づいて前記複数の送信パラメータ仮説をランク付けすることと、
を行うように構成される、請求項１２に記載の装置。
【請求項２２】
前記複数のセルの各々のための前記送信パラメータのための前記送信パラメータ仮説を決定するための前記手段が、仮説のセットを決定するように構成され、仮説の前記セットが、ｎ個の送信パラメータのための可能な値の各組合せのための仮説を含む、請求項２１に記載の装置。
【請求項２３】
受信信号中の推論を低減するための装置であって、
メモリと、
前記メモリに結合され、
複数のセルからの送信を含む信号を受信することと、
前記複数のセルに関連する送信パラメータ仮説を決定することと、前記送信パラメータ仮説からの各送信パラメータ仮説が、前記複数のセルからのすべてのセルに関連する送信パラメータのセットを含み、
各仮説に適用される第１のメトリックに基づいて少なくとも１つの送信パラメータ仮説を選択することと、
各セルに関連する第２のメトリックに基づいて前記少なくとも１つのセルに関連する前記送信パラメータの精度を個別に改善することによって、前記複数のセルからの少なくとも１つのセルに関連する送信パラメータを改良することと、
を行うように構成される、
少なくとも１つのプロセッサと、
を備える、装置。
【請求項２４】
前記少なくとも１つのプロセッサが、各仮説に関連する前記第１のメトリックに基づく送信パラメータ仮説のランキングに基づいて前記少なくとも１つの送信パラメータ仮説を選択するように構成される、請求項２３に記載の装置。
【請求項２５】
前記少なくとも１つのプロセッサが、改良された信号を取得するために前記受信信号からセルに関連する送信を減じることによって、前記送信パラメータを改良するように構成され、前記減じられる送信が、前記第１のメトリックまたは前記第２のメトリックのうちの少なくとも１つに基づいて決定される、請求項２３に記載の装置。
【請求項２６】
各送信パラメータ仮説が、前記複数のセルからの各セルのためのセル固有送信パラメータを含み、前記少なくとも１つのプロセッサが、
前記複数のセルからの各セルのための前記第２のメトリックを決定することと、
低減された受信信号を取得するために、前記受信信号からセルに関連する送信を減じることと、前記減じられる送信が、最も高い第２のメトリックを有する前記複数のセルからのセルに基づいて決定され、
前記改良された信号に基づいて、１つまたは複数のセルのための更新されたセル固有送信パラメータを決定することと、
前記１つまたは複数のセルのための更新された第２のメトリックを決定することと、
によって前記送信パラメータを改良するように構成される、請求項２３に記載の装置。
【請求項２７】
前記少なくとも１つのプロセッサが、決定するステップ、選択するステップ、および改良するステップを反復的に繰り返すようにさらに構成され、ここにおいて、前記決定することの各後続の繰り返しが、前の改良するステップの結果を使用する、請求項２３に記載の装置。
【請求項２８】
前記送信パラメータが、変調オーダー、トラフィック対パイロット比（ＴＰＲ）、空間方式、または干渉送信があるかどうかのうちの少なくとも１つを備える、請求項２３に記載の装置。
【請求項２９】
前記少なくとも１つのプロセッサが、
前記複数のセルの各々のための送信パラメータ仮説を決定することと、
各送信パラメータ仮説のための前記第１のメトリックを決定することと、
各送信パラメータ仮説に関連する前記第１のメトリックに基づいて前記複数の送信パラメータ仮説をランク付けすることと、
によって前記複数のセルのための前記送信パラメータ仮説を決定するように構成される、請求項２３に記載の装置。
【請求項３０】
受信信号中の推論を低減するためのコンピュータプログラム製品であって、
コンピュータ可読媒体を備え、前記コンピュータ可読媒体は、
複数のセルからの送信を含む信号を受信することと、
前記複数のセルに関連する送信パラメータ仮説を決定することと、前記送信パラメータ仮説からの各送信パラメータ仮説が、前記複数のセルからのすべてのセルに関連する送信パラメータのセットを含み、
各仮説に適用される第１のメトリックに基づいて少なくとも１つの送信パラメータ仮説を選択することと、
前記複数のセルからの少なくとも１つのセルに関連する送信パラメータを改良することと、前記改良することが、各セルに関連する第２のメトリックに基づいて前記少なくとも１つのセルに関連する前記送信パラメータの精度を個別に改善することを含み、
を行うためのコードを備える、コンピュータプログラム製品。
【発明の詳細な説明】
【技術分野】
【０００１】
関連出願の相互参照
[0001]本出願は、その全体が参照により本明細書に明確に組み込まれる、２０１３年４月８日に出願された「LOW COMPLEXITY BLIND DETECTION OF TRANSMISSION PARAMETERS OF LTE INTERFERERS」と題する米国仮出願第６１／８０９，８２８号、および２０１４年４月４日に出願された「LOW COMPLEXITY BLIND DETECTION OF TRANSMISSION PARAMETERS OF INTERFERERS」と題する米国非仮出願第１４／２４６，０２２号の利益を主張する。
【０００２】
[0002]本開示は、一般に、通信システムに関し、より詳細には、ロングタームエボリューション（ＬＴＥ：Long Term Evolution）干渉物（interferers）の送信パラメータの低複雑さブラインド検出に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はＬＴＥである。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格に対する拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ：multiple-input multiple-output）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術におけるさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置は受信信号（a received signal）中の推論を低減する。本装置は、複数のセルからの送信を含む信号を受信する。本装置は、複数のセルに関連する送信パラメータ仮説（transmission parameter hypotheses）を決定する。各送信パラメータ仮説は、複数のセルからのすべてのセルに関連する送信パラメータのセットを含む。さらに、各送信パラメータ仮説は第１のメトリックに関連する。本装置は、各仮説に関連する第１のメトリックに基づいて少なくとも１つの送信パラメータ仮説を選択する。本装置は、次いで、少なくとも１つの選択された送信パラメータ仮説に基づいて、複数のセルからの少なくとも１つのセルに関連する送信パラメータを改良する。本装置は、第２のメトリックに基づいて少なくとも１つのセルに関連する送信パラメータの精度を改善することによって、パラメータを改良する。
【図面の簡単な説明】
【０００６】
【図１】[0006]ネットワークアーキテクチャの一例を示す図。
【図２】[0007]アクセスネットワークの一例を示す図。
【図３】[0008]ＬＴＥにおけるＤＬフレーム構造の一例を示す図。
【図４】[0009]ＬＴＥにおけるＵＬフレーム構造の一例を示す図。
【図５】[0010]ユーザプレーンおよび制御プレーンのための無線プロトコルアーキテクチャの一例を示す図。
【図６】[0011]アクセスネットワーク中の発展型ノードＢおよびユーザ機器の一例を示す図。
【図７】[0012]異種ネットワーク中の範囲拡大セルラー領域を示す図。
【図８】[0013]例示的な方法を示すための図。
【図９】[0014]受信信号中の推論を低減する方法のフローチャート。
【図１０】[0015]例示的な装置中の異なるモジュール／手段／構成要素間のデータフローを示す概念的なデータフロー図。
【図１１】[0016]処理システムを採用する装置のためのハードウェア実装形態の一例を示す図。
【発明を実施するための形態】
【０００７】
[0017]添付の図面に関して以下に記載される詳細な説明は、様々な構成を説明するものであり、本明細書で説明される概念が実施され得る唯一の構成を表すものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0018]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課された設計制約に依存する。
【０００９】
[0019]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するために構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0020]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１１】
[0021]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示する様々な概念は、回線交換サービスを提供するネットワークに拡張され得る。
【００１２】
[0022]Ｅ−ＵＴＲＡＮは、発展型ノードＢ（ｅＮＢ）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は、発展型マルチメディアブロードキャストマルチキャストサービス（ＭＢＭＳ：Multimedia Broadcast Multicast Service）（ｅＭＢＭＳ）のための時間／周波数無線リソースを割り振り、ｅＭＢＭＳのための無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６は、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0023]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を提供する。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８およびＢＭ−ＳＣ１２６はＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを分配するために使用され得、セッション管理（開始／停止）と、ｅＭＢＭＳ関係の課金情報を収集することとを担当し得る。
【００１４】
[0024]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最も小さいカバレージエリアを指すことがあり、および／またはｅＮＢサブシステムサービングは特定のカバレージエリアである。さらに、「ｅＮＢ」、「基地局」、および「セル」という用語は、本明細書では互換的に使用され得る。
【００１５】
[0025]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１６】
[0026]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１７】
[0027]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
[0028]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0029]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスについて、リソースブロックは、合計８４個のリソース要素について、周波数領域中の１２個の連続するサブキャリアと、時間領域中の７個の連続するＯＦＤＭシンボルとを含んでいる。拡張サイクリックプレフィックスについて、リソースブロックは、合計７２個のリソース要素について、周波数領域中の１２個の連続するサブキャリアと、時間領域中の６個の連続するＯＦＤＭシンボルとを含んでいる。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0030]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２１】
[0031]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２２】
[0032]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２３】
[0033]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤは、本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００２４】
[0034]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２５】
[0035]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２６】
[0036]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２７】
[0037]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２８】
[0038]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００２９】
[0039]ＵＥ６５０において、各受信機６５４ＲＸは、それのそれぞれのアンテナ６５２を通して信号を受信する。各受信機６５４ＲＸは、ＲＦキャリア上に変調された情報を復元し、その情報を受信（ＲＸ）プロセッサ６５６に与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３０】
[0040]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３１】
[0041]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３２】
[0042]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３３】
[0043]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３４】
[0044]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３５】
[0045]図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調（enhanced inter-cell interference coordination）と、ＵＥ７２０によって実行される干渉消去とを通して、セルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が範囲拡大セルラー領域７０３に入るとき、マクロｅＮＢ７１０ａからのＵＥ７２０のハンドオフを受け入れることが可能になる。
【００３６】
[0046]サービングセル復号の信頼性はＵＥにおける干渉処理によって向上させられ得る。干渉処理は、干渉抑制（ＩＳ：interference suppression）と、干渉消去（ＩＣ：interference cancelation）とを含む。ＵＥが干渉セルの送信プロパティを知っている場合、ＵＥは、干渉セルからの干渉をより効果的に消去し、抑制し、またはさもなければ低減し得る。送信プロパティは、干渉セルが送信しているかどうか、空間方式（spatial schemes）、トラフィック対パイロット比（ＴＰＲ：traffic to pilot ratio）、変調オーダー（modulation order）、および他の送信プロパティを含み得る。干渉セルが送信しているかどうかは真または偽（オンまたはオフ）であり得る。空間方式はＣＲＳベースの送信またはＵＥ−ＲＳベースの送信を含み得る。ＣＲＳベースの送信は、空間周波数ブロックコード（ＳＦＢＣ）送信、ランク１送信、ランク２送信、またはより高いランク送信、あるいは別のタイプの送信であり得る。ＵＥ−ＲＳベースの送信は送信ランク情報であり得る。ＴＰＲは、いくつかの可能な値（たとえば−５ｄＢ、−３ｄＢ、０ｄＢ、３ｄＢ、５ｄＢ）のうちの１つであり得る。干渉セルが送信しているかどうかはＴＰＲにグループ分けされ得る。したがって、ＴＰＲは、干渉セルが送信していないときの値−∞を含み得る。変調オーダーは、いくつかの可能な値（たとえば、ＢＰＳＫ、ＱＰＳＫ、様々なＭについてのＭ−ＱＡＭ）のうちの１つであり得る。送信プロパティはデータおよび制御チャネルについて異なり得る。干渉プロパティにおける変動のグラニュラリティ（granularity）は、送信モード、リソース割振りタイプなどいくつかのパラメータに依存し得る。同種ネットワークと異種ネットワークの両方において、複数のセルから干渉を受けながら、１つまたは複数のセルからの干渉を低減する必要がある。受信信号中の干渉を低減するための方法は図８および図９に関して以下で与えられる。
【００３７】
[0047]図８は、例示的な方法８００を示す図である。図８では、ＵＥ８０２は、セル８０４、８０６、８０８からの送信を含む信号８１０を受信する。１つのセルがサービングセルであり得、残りのセルが干渉セルであり得る。たとえば、セル８０４がサービングセルであり得、セル８０６、８０８が干渉セルであり得る。ＵＥ８０２は、（１）ジョイン処理（join-processing）ステップと（２）改良ステップという２つのステップを実行することによって、干渉セル８０６、８０８からの送信プロパティを効率的に検出／推定する。
【００３８】
[0048]ジョイン処理ステップにおいて、ＵＥ８０２は、セル８０６、８０８に関連する送信パラメータ仮説を決定する。送信パラメータ仮説からの各送信パラメータ仮説は、セル８０６、８０８に関連する可能な送信パラメータのセットを含む。ＵＥ８０２は、各送信パラメータ仮説に関連する信頼性に基づいて各仮説に対する第１の確率メトリックを決定する。その後、ＵＥは、各仮説に関連する第１の確率メトリックに基づいて、異なる送信パラメータ仮説から少なくとも１つの送信パラメータ仮説を選択する。実装形態に基づいて、ＵＥは、可能性がある正確な仮説に対応する、最も高い第１のメトリック値を有する単一の仮説を選択し得る。代替的に、ＵＥは、複数の最も高い第１のメトリック値仮説を選択し得る。
【００３９】
[0049]たとえば、ＵＥ８０２は、干渉セル８０６、８０８のためのＴＰＲと空間方式とを決定する必要があると仮定する。ＵＥ８０２は、セル８０６のためのＴＰＲの３つの可能な値（たとえば、ＴＰＲ1_eNB1、ＴＰＲ2_eNB1、ＴＰＲ3_eNB1）と、セル８０８のためのＴＰＲの２つの可能な値（たとえば、ＴＰＲ1_eNB2、ＴＰＲ2_eNB2）と、セル８０６（たとえば、ＳＳ1_eNB1、ＳＳ2_eNB1）、８０８（たとえば、ＳＳ1_eNB2、ＳＳ2_eNB2）の各々のための空間方式のための２つの可能な値と、が存在することを決定し得る。したがって、セル８０６、８０８のための値の可能な組合せの総数（３つのＴＰＲeNB1値×２つのＴＰＲeNB2値×２つのＳＳeNB1値×２つのＳＳeNB2値）に対応する、セル８０６、８０８のための送信パラメータの２４個の異なる組合せがある。ＵＥ８０２は各仮説に第１の確率メトリックを適用し、各仮説は｛ＴＰＲeNB1、ＴＰＲeNB2、ＳＳeNB1、ＳＳeNB2｝として表現可能である。その後、ＵＥは、各仮説に関連する第１の確率メトリックに基づいて、２４個の異なる送信パラメータ仮説のうちの、少なくとも１つの送信パラメータ仮説を選択する。実装形態に基づいて、ＵＥは、可能性がある正確な仮説に対応する、最も高い第１のメトリック値を有する単一の仮説を選択し得る。代替的に、ＵＥは、複数の最も高い第１のメトリック値仮説を選択し得る。
【００４０】
[0050]別の例では、ＵＥ８０２は、干渉セル８０６、８０８のためのＴＰＲを決定する必要があると仮定する。また、ＵＥ８０２は、干渉セル８０６が４つの可能なＴＰＲ値、すなわち３ｄＢ、０ｄＢ、−３ｄＢ、および−∞ｄＢ（または、干渉セル８０６が送信していないことによる干渉セル８０６からの干渉なしに対応する、極端な負の値）を有し得、干渉セル８０８が４つの可能なＴＰＲ値、すなわち６ｄＢ、０ｄＢ、−６ｄＢ、および−∞ｄＢ（または、干渉セル８０６が送信していないことによる干渉セル８０６からの干渉なしに対応する、極端な負の値）を有し得ると決定すると仮定する。ＵＥ８０２は、サービングセル８０４と、干渉セル８０６、８０８のうちの１つまたは複数とから信号Ｙを受信する。受信信号Ｙ＝ｆ（ＴＰＲ）Ｓ＋ｆ1（ＴＰＲ1）Ｉ1＋ｆ2（ＴＰＲ2）Ｉ2であり、ここで、Ｓはサービングセルからの受信信号であり、Ｉ1は干渉セル８０６からの受信信号であり、Ｉ2は干渉セル８０８からの受信信号であり、ＴＰＲ1は４つの可能な値、たとえば、３ｄＢ、０ｄＢ、−３ｄＢ、および−∞ｄＢのうちの１つを有し得、ＴＰＲ2は４つの可能な値、たとえば、６ｄＢ、０ｄＢ、−６ｄＢ、および−∞ｄＢのうちの１つを有し得る。したがって、ＵＥ８０２は、干渉セル８０６、８０８のためのＴＰＲの１６個の可能な組合せがあると決定する。ＵＥ８０２は、１６個の可能な仮説のそれぞれｉ番目の仮説のための複数の確率ｐ1,iを取得するために、仮説の各々に第１の確率メトリックｐ1を適用する。
【表１】
2016523010.tif 000003
【００４１】
[0051]第１の確率メトリックｐ1は、受信信号Ｙと、ＴＰＲ1と、ＴＰＲ2との関数であり得る。たとえば、確率ｐ1,1は、受信信号Ｙと、ＴＰＲ1＝３ｄＢおよびＴＰＲ2＝６ｄＢであるとの仮定とに基づいて決定され得る。第１の確率メトリックｐ1は追加のパラメータの関数であり得る。１６個の可能な仮説のそれぞれｉ番目の仮説のための確率ｐ1,iを決定するときに、ＵＥ８０２は、仮説をランク付けし、最も高いランク（すなわち、最も高い確率ｐ1,i）をもつ仮説を選択し得、または、最も高いランクをもつ仮説のセット（たとえば、しきい値Ｔよりも大きい確率ｐ1,i、または最も高いランクをもつｎ個の仮説）を選択し得る。
【００４２】
[0052]改良ステップにおいて、ＵＥ８０２は、セル８０６、８０８のうちの少なくとも１つのセルに関連する送信パラメータを改良する。ＵＥ８０２は、第２の確率メトリックに基づいて少なくとも１つのセルに関連する送信パラメータの精度を改善することによって、改良ステップを実行し得る。改良ステップ中に、第２の確率メトリックが各セルのために個別に決定される。この第２のメトリックは、第１のメトリックと同じまたは同様であり得るが、個々のセル分析に適用される。代替的に、第２のメトリックは、第１のメトリックから著しく変化し得、個々のセルパラメータの精度を評価するように設計される。
【００４３】
[0053]たとえば、ＵＥ８０２は最も可能性があるものとして確率ｐ1,3、ｐ1,4、およびｐ1,7に関連する仮説を選択すると仮定する。改良ステップにおいて、ＵＥ８０２は、干渉セル８０６のためのＴＰＲが３ｄＢであるのか０ｄＢであるのかを決定するために第２の確率メトリックｐ2を適用し得る。第２のメトリックに基づく場合、ＵＥ８０２は、干渉セル８０６のためのＴＰＲが３ｄＢであると決定する。ＵＥ８０２は、次いで、改良された（干渉が減じられたまたは干渉が低減された）信号Ｙ2を取得するために、仮定された３ｄＢのＴＰＲ1に基づいて、受信信号ＹからＩ1を減じ（たとえば、消去または抑制し）得る。受信信号Ｙから信号Ｉ1を減じるとき、ＵＥ８０２は３ｄＢのＴＰＲ1を使用し得る。
【００４４】
[0054]改良ステップの後に、ＵＥは、ジョイン処理ステップに戻るか、または他の干渉物値をさらに改良し得る。一構成では、ＵＥ８０２は、干渉セル８０８に関連するＴＰＲ2を推定するために、信号Ｙ2を用いたジョイン処理を再び実行する。再びジョイン処理を実行するとき、ＵＥ８０２はＴＰＲ2のための可能な値の新しいセットを決定し得る。ＴＰＲ2のための可能性がある仮説のセットを決定すると、ＵＥ８０２は、ＴＰＲ2のための可能性がある値を決定し、ＴＰＲ2のための可能性がある値に基づいて受信信号Ｙ2からＩ2を減じて、受信信号Ｙ3を生成するために、再び改良ステップを実行し得、ここで、Ｙ3は信号Ｉ1と信号Ｉ2とを除外する。
【００４５】
[0055]上記で説明したように、ＵＥ８０２は干渉セル８０６、８０８の送信プロパティを推定／検出する。ＵＥ８０２がサービングセル８０４の送信パラメータを知らない場合、ＵＥ８０２はサービングセル８０４の送信プロパティをも推定／検出し得る。したがって、ＵＥ８０２は、干渉セル８０６、８０８だけでなく、セル８０４、８０６、８０８のすべてに対してジョイン処理および改良ステップを実行し得る。
【００４６】
[0056]図９は、受信信号中の推論を低減する方法のフローチャート９００である。この方法は、ＵＥ８０２などのＵＥによって実行される。
【００４７】
[0057]ステップ９０２において、ＵＥは、異なるセルのための仮定された仮説に基づいてコスト関数（すなわち、第１の確率メトリック）を計算する。コスト関数は受信信号と干渉セルの送信プロパティとの関数であり得る。上記で説明したように、送信プロパティは、ＴＰＲ、オン／オフ送信、空間方式、変調オーダー、および他の送信プロパティを含み得る。オン／オフ送信はＴＰＲの一部であり得、−∞ｄＢ（または同様）はオフ送信であり、−∞ｄＢ以外の値はオン送信であると仮定する。各セルのために送信プロパティのサブセットが選定され得る。サブセット中の各送信パラメータのために有限数の可能な値が選定される。各セルのためにパラメータ値の異なる範囲が推測／推定され得る。各個々のセルのためのすべての可能な仮説のすべてまたはサブセットが考慮に入れられる。たとえば、すべての可能な仮説のセットが法外（prohibitive）である場合、ＵＥは、ありそうもないパラメータを有する高度に可能性が低い仮説を除外し得る。
【００４８】
[0058]ステップ９０４において、ＵＥは、コスト関数に基づいて仮説をランク付けする。しかしながら、このステップは、ＵＥが最上位候補を選ぶか、または上位Ｎ個の候補を選び、ここでＮが比較的小さい数である実装形態の場合、またはランキングまたはソーティングが法外なコストがかかる実装形態の場合にスキップされ得る。
【００４９】
[0059]ステップ９０６において、ＵＥは、ステップ９０４におけるランキング、または同様の方法に基づいて、勝った仮説を決定する。ステップ９０６において、ＵＥは、セルのためのプロパティを決定するために上位Ｎ個（Ｎ≧１）の候補を選択する。
【００５０】
[0060]ステップ９０８、９１０、９１２において、ＵＥは、ステップ９０６からの結果を使用して個々のセルごとに検出／推定を改良する。ステップ９０８において、個々のセルごとに、ＵＥは、他のセルのための勝った仮説を使用し、第２の確率メトリックに基づいて個々のセルのプロパティを決定する。第２の確率メトリックおよび第１の確率メトリックは異なるかまたは同じであり得る。
【００５１】
[0061]ステップ９１０において、ＵＥは、個々のセルのために検出された／推定されたプロパティを使用して、受信信号から個々のセルの信号を消去し、抑制し、またはさもなければ低減する。ＵＥは、ステップ９１０を実行するときに第１のメトリックを追加として使用し得る。
【００５２】
[0062]ステップ９１２において、ＵＥは、残りの信号を使用して次の個々のセルの検出／推定を改良する。ＵＥは、残りのセルまたは残りのセルのサブセットの間でステップ９０２、９０４、９０６を繰り返し得る。
【００５３】
[0063]したがって、ＵＥは、複数のセルからの送信を含む信号を受信し得る。ＵＥは、複数のセルに関連する送信パラメータ仮説を決定し得る。送信パラメータ仮説からの各送信パラメータ仮説は、複数のセルからのすべてのセルに関連する送信パラメータのセットを含み得る。ＵＥは、各仮説に適用される第１の確率メトリックに基づいて少なくとも１つの送信パラメータ仮説を選択し得る。ＵＥは、複数のセルからの少なくとも１つのセルに関連する送信パラメータを改良し得る。ＵＥは、個別に各セルに関連する第２の確率メトリックに基づいて少なくとも１つのセルに関連する送信パラメータの精度を改善することによって、改良し得る。
【００５４】
[0064]ＵＥは、各仮説に関連する第１の確率メトリックに基づく送信パラメータ仮説のランキングに基づいて少なくとも１つの送信パラメータ仮説を選択し得る。ＵＥは、改良された信号を取得するために受信信号からセルに関連する送信を減ずることによって、送信パラメータを改良し得る。減じられる送信は、第１の確率メトリックまたは第２の確率メトリックのうちの少なくとも１つに基づいて決定され得る。各送信パラメータ仮説は、複数のセルからの各セルのためのセル固有送信パラメータを含み得る。ＵＥは、複数のセルからの各セルのための第２の確率メトリックを決定することによって、送信パラメータを改良し得る。さらに、ＵＥは、低減された受信信号を取得するために、受信信号からセルに関連する送信を減じ得る。減じられる送信は、最も高い第２の確率メトリックを有する複数のセルからのセルに基づいて決定され得る。さらに、ＵＥは、改良された信号に基づいて、１つまたは複数のセルのための更新されたセル固有送信パラメータを決定し得る。さらに、ＵＥは、１つまたは複数のセルための更新された第２の確率メトリックを決定し得る。ＵＥは、決定するステップ、選択するステップ、および改良するステップを反復的に繰り返し得る。決定するステップの各後続の繰り返しは、前の改良するステップの結果を使用し得る。
【００５５】
[0065]送信パラメータは、変調オーダー、ＴＰＲ、空間方式、または干渉送信があるかどうかのうちの少なくとも１つを含み得る。空間方式は、ＣＲＳベースの送信またはＵＥ−ＲＳベースの送信１つを含み得る。ＣＲＳベースの送信は、ＳＦＢＣ送信、ランク１送信、ランク２送信、またはより高いランク送信のうちの１つを含み得る。ＵＥ−ＲＳベースの送信は送信ランク情報であり得る。ＵＥは、複数のセルの各々のための送信パラメータ仮説を決定することと、各送信パラメータ仮説のための第１の確率メトリックを決定することと、各送信パラメータ仮説に関連する第１の確率メトリックに基づいて複数の送信パラメータ仮説をランク付けすることとによって、複数のセルのための送信パラメータ仮説を決定し得る。
【００５６】
[0066]図１０は、例示的な装置１００２中の異なるモジュール／手段／構成要素間のデータフローを示す概念的なデータフロー図１０００である。本装置はＵＥであり得る。本装置は、複数のセル１０５０、１０６０からの送信を含む信号Ｙを受信するように構成される受信モジュール１００４を含む。サービングセル１０５０と１つまたは複数の干渉セル１０６０とを含む複数のセル。本装置は、複数のセルに関連する送信パラメータ仮説を決定するように構成されるジョイン処理モジュール１００６をさらに含む。送信パラメータ仮説からの各送信パラメータ仮説は、複数のセルからのすべてのセルに関連する送信パラメータのセットを含む。ジョイン処理モジュール１００６は、各仮説に適用される第１の確率メトリックに基づいて少なくとも１つの送信パラメータ仮説を選択するようにさらに構成される。本装置は、複数のセルからの少なくとも１つのセルに関連する送信パラメータを改良するように構成される改良モジュール１００８をさらに含む。改良モジュール１００８は、個別に各セルに関連する第２の確率メトリックに基づいて少なくとも１つのセルに関連する送信パラメータの精度を改善することによって改良するように構成され得る。
【００５７】
[0067]ジョイン処理モジュール１００６は、各仮説に関連する第１の確率メトリックに基づく送信パラメータ仮説のランキングに基づいて選択するように構成され得る。改良モジュール１００８は、改良された信号を取得するために受信信号からセルに関連する送信を減ずることによって改良するように構成され得る。減じられる送信は、第１の確率メトリックまたは第２の確率メトリックのうちの少なくとも１つに基づいて決定され得る。一構成では、各送信パラメータ仮説は複数のセルからの各セルのためのセル固有送信パラメータを含み、改良モジュール１００８は、複数のセルからの各セルのための第２の確率メトリックを決定することと、低減された受信信号を取得するために、受信信号からセルに関連する送信を減じることと、減じられる送信が、最も高い第２の確率メトリックを有する複数のセルからのセルに基づいて決定され、改良された信号に基づいて１つまたは複数のセルのための更新されたセル固有送信パラメータを決定することと、１つまたは複数のセルのための更新された第２の確率メトリックを決定することと、によって改良するように構成される。本装置は、決定するステップ、選択するステップ、および改良するステップを反復的に繰り返し得る。決定するステップの各後続の繰り返しは、前の改良するステップの結果を使用し得る。
【００５８】
[0068]送信パラメータは、変調オーダー、ＴＰＲ、空間方式、または干渉送信があるかどうかのうちの少なくとも１つを含み得る。空間方式はＣＲＳベースの送信またはＵＥ−ＲＳベースの送信のうちの１つであり得る。ＣＲＳベース送信は、ＳＦＢＣ送信、ランク１送信、ランク２送信、またはより高いランク送信のうちの１つであり得る。ＵＥ−ＲＳベースの送信は送信ランク情報であり得る。ジョイン処理モジュール１００６は、複数のセルの各々のための送信パラメータ仮説を決定することと、各送信パラメータ仮説のための第１の確率メトリックを決定することと、各送信パラメータ仮説に関連する第１の確率メトリックに基づいて複数の送信パラメータ仮説をランク付けすることとによって、複数のセルのための送信パラメータ仮説を決定するように構成され得る。ジョイン処理モジュール１００６は、仮説のセットを決定することによって、複数のセルの各々のための送信パラメータのための送信パラメータ仮説を決定し得る。仮説のセットは、ｎ個の送信パラメータのための可能な値の各組合せのための仮説を含み得る。
【００５９】
[0069]本装置は、図９の上述のフローチャート中のアルゴリズムのステップの各々を実行する追加のモジュールを含み得る。したがって、図９の上述のフローチャート中の各ステップは１つのモジュールによって実行され得、本装置は、それらのモジュールのうちの１つまたは複数を含み得る。それらのモジュールは、述べられたプロセス／アルゴリズムを実行するように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６０】
[0070]図１１は、処理システム１１１４を採用する装置１００２’のためのハードウェア実装形態の一例を示す図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４によって表される１つまたは複数のプロセッサおよび／またはハードウェアモジュールと、モジュール１００４、１００６、１００８、１０１０と、コンピュータ可読媒体／メモリ１１０６とを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明しない。
【００６１】
[0071]処理システム１１１４はトランシーバ１１１０に結合され得る。トランシーバ１１１０は１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信信号から情報を抽出し、抽出された情報を処理システム１１１４に与える。さらに、トランシーバ１１１０は、処理システム１１１４から情報を受信し、受信した情報に基づいて、１つまたは複数のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６上に記憶されたソフトウェアの実行を含む一般的な処理を担当する。ソフトウェアは、プロセッサ１１０４によって実行されたとき、処理システム１１１４に、特定の装置のための上記で説明された様々な機能を実行させる。コンピュータ可読媒体／メモリ１１０６はまた、ソフトウェアを実行するときにプロセッサ１１０４によって操作されるデータを記憶するために使用され得る。処理システムは、モジュール１００４、１００６、１００８、および１０１０のうちの少なくとも１つをさらに含む。それらのモジュールは、プロセッサ１１０４中で動作するか、コンピュータ可読媒体／メモリ１１０６中に常駐する／記憶されたソフトウェアモジュールであるか、プロセッサ１１０４に結合された１つまたは複数のハードウェアモジュールであるか、またはそれらの何らかの組合せであり得る。処理システム１１１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００６２】
[0072]一構成では、ワイヤレス通信のための装置１００２／１００２’は受信信号中の干渉を低減する。本装置は、複数のセルからの送信を含む信号を受信するための手段を含む。本装置は、複数のセルに関連する送信パラメータ仮説を決定するための手段をさらに含む。送信パラメータ仮説からの各送信パラメータ仮説は、複数のセルからのすべてのセルに関連する送信パラメータのセットを含む。本装置は、各仮説に適用される第１の確率メトリックに基づいて少なくとも１つの送信パラメータ仮説を選択するための手段をさらに含む。本装置は、複数のセルからの少なくとも１つのセルに関連する送信パラメータを改良するための手段をさらに含む。改良することは、各セルに関連する第２の確率メトリックに基づいて少なくとも１つのセルに関連する送信パラメータの精度を個別に改善することを含む。
【００６３】
[0073]一構成では、選択するための手段は、各仮説に関連する第１の確率メトリックに基づく送信パラメータ仮説のランキングに基づいて選択することを実行する。一構成では、改良するための手段は、改良された信号を取得するために受信信号からセルに関連する送信を減ずることによって改良するように構成される。減じられる送信は、第１の確率メトリックまたは第２の確率メトリックのうちの少なくとも１つに基づいて決定され得る。一構成では、各送信パラメータ仮説は複数のセルからの各セルのためのセル固有送信パラメータを含み、改良するための手段は、複数のセルからの各セルのために第２の確率メトリックを決定することと、低減された受信信号を取得するために、受信信号からセルに関連する送信を減じることと、減じられる送信が、最も高い第２の確率メトリックを有する複数のセルからのセルに基づいて決定され、改良された信号に基づいて１つまたは複数のセルのための更新されたセル固有送信パラメータを決定することと、１つまたは複数のセルのための更新された第２の確率メトリックを決定することと、を行うように構成される。一構成では、本装置は、決定するステップ、選択するステップ、および改良するステップを反復的に繰り返すための手段をさらに含む。そのような構成では、決定するステップの各後続の繰り返しは、前の改良するステップの結果を使用する。一構成では、複数のセルのための送信パラメータ仮説を決定するための手段は、複数のセルの各々のための送信パラメータ仮説を決定することと、各送信パラメータ仮説のための第１の確率メトリックを決定することと、各送信パラメータ仮説に関連する第１の確率メトリックに基づいて複数の送信パラメータ仮説をランク付けすることと、を行うように構成される。複数のセルの各々のための送信パラメータのための送信パラメータ仮説を決定するための手段は、仮説のセットを決定するように構成され得る。仮説のセットは、ｎ個の送信パラメータのための可能な値の各組合せのための仮説を含み得る。
【００６４】
[0074]上述の手段は、上述の手段によって具陳される機能を実行するように構成される、装置１００２、および／または装置１００２’の処理システム１１１４の上述のモジュールのうちの１つまたは複数であり得る。上記で説明したように、処理システム１１１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されるＴＸプロセッサ６６８と、ＲＸプロセッサ６５６と、コントローラ／プロセッサ６５９とであり得る。
【００６５】
[0075]開示したプロセス／フローチャートにおけるステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００６６】
[0076]以上の説明は、本明細書で説明した様々な態様を当業者が実施できるようにするために与えたものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
【図１】
2016523010.tif 000004
【図２】
2016523010.tif 000005
【図３】
2016523010.tif 000006
【図４】
2016523010.tif 000007
【図５】
2016523010.tif 000008
【図６】
2016523010.tif 000009
【図７】
2016523010.tif 000010
【図８】
2016523010.tif 000011
【図９】
2016523010.tif 000012
【図１０】
2016523010.tif 000013
【図１１】
2016523010.tif 000014
【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
受信信号中の推論を低減する方法であって、
複数のセルからの送信を含む信号を受信することと、
前記複数のセルに関連する送信パラメータ仮説を決定することと、前記送信パラメータ仮説からの各送信パラメータ仮説が、前記複数のセルからのすべてのセルに関連する送信パラメータのセットを含み、
各仮説に適用される第１のメトリックに基づいて少なくとも１つの送信パラメータ仮説を選択することと、
前記複数のセルからの少なくとも１つのセルに関連する送信パラメータを改良することと、前記送信パラメータが、前記少なくとも１つの選択された送信パラメータ仮説からであり、前記改良することが、各セルに関連する第２のメトリックに基づいて前記少なくとも１つのセルに関連する前記送信パラメータの精度を個別に改善することを含み、
を備える、方法。
【請求項２】
前記選択することが、各仮説に関連する前記第１のメトリックに基づく送信パラメータ仮説のランキングに基づく、請求項１に記載の方法。
【請求項３】
前記改良することが、改良された信号を取得するために、前記受信信号からセルに関連する送信を減じることをさらに備え、前記減じられる送信が、前記第１のメトリックまたは前記第２のメトリックのうちの少なくとも１つに基づいて決定される、請求項１に記載の方法。
【請求項４】
各送信パラメータ仮説が、前記複数のセルからの各セルのためのセル固有送信パラメータを含み、前記改良することが、
前記複数のセルからの各セルのための前記第２のメトリックを決定することと、
低減された受信信号を取得するために、前記受信信号からセルに関連する送信を減じることと、前記減じられる送信が、最も高い第２のメトリックを有する前記複数のセルからのセルに基づいて決定され、
前記改良された信号に基づいて、１つまたは複数のセルのための更新されたセル固有送信パラメータを決定することと、
前記１つまたは複数のセルのための更新された第２のメトリックを決定することと、
をさらに備える、請求項１に記載の方法。
【請求項５】
決定するステップ、選択するステップ、および改良するステップを反復的に繰り返すことをさらに備え、ここにおいて、前記決定することの各後続の繰り返しが、前の改良するステップの結果を使用する、請求項１に記載の方法。
【請求項６】
前記送信パラメータが、変調オーダー、トラフィック対パイロット比（ＴＰＲ）、空間方式、または干渉送信があるかどうかのうちの少なくとも１つを備える、請求項１に記載の方法。
【請求項７】
前記空間方式が、セル固有基準信号（ＣＲＳ）ベースの送信またはユーザ機器（ＵＥ）固有基準信号（ＵＥ−ＲＳ）ベースの送信のうちの１つを備える、請求項６に記載の方法。
【請求項８】
前記ＣＲＳベースの送信が、空間周波数ブロックコード（ＳＦＢＣ）送信、ランク１送信、ランク２送信、またはより高いランク送信のうちの１つを備える、請求項７に記載の方法。
【請求項９】
前記ＵＥ−ＲＳベースの送信が送信ランク情報を備える、請求項７に記載の方法。
【請求項１０】
前記複数のセルのための前記送信パラメータ仮説を前記決定することが、
前記複数のセルの各々のための送信パラメータ仮説を決定することと、
各送信パラメータ仮説のための前記第１のメトリックを決定することと、
各送信パラメータ仮説に関連する前記第１のメトリックに基づいて前記複数の送信パラメータ仮説をランク付けすることと、
を備える、請求項１に記載の方法。
【請求項１１】
前記複数のセルの各々のための前記送信パラメータのための前記送信パラメータ仮説を前記決定することが、仮説のセットを決定することを備え、仮説の前記セットが、ｎ個の送信パラメータのための可能な値の各組合せのための仮説を含む、請求項１０に記載の方法。
【請求項１２】
受信信号中の推論を低減するための装置であって、
複数のセルからの送信を含む信号を受信するための手段と、
前記複数のセルに関連する送信パラメータ仮説を決定するための手段と、前記送信パラメータ仮説からの各送信パラメータ仮説が、前記複数のセルからのすべてのセルに関連する送信パラメータのセットを含み、
各仮説に適用される第１のメトリックに基づいて少なくとも１つの送信パラメータ仮説を選択するための手段と、
前記複数のセルからの少なくとも１つのセルに関連する送信パラメータを改良するための手段と、前記送信パラメータが、前記少なくとも１つの選択された送信パラメータ仮説からであり、前記改良することが、各セルに関連する第２のメトリックに基づいて前記少なくとも１つのセルに関連する前記送信パラメータの精度を個別に改善することを含み、
を備える、装置。
【請求項１３】
選択するための前記手段が、各仮説に関連する前記第１のメトリックに基づく送信パラメータ仮説のランキングに基づいて前記少なくとも１つの送信パラメータ仮説を選択するように構成される、請求項１２に記載の装置。
【請求項１４】
改良するための前記手段が、改良された信号を取得するために、前記受信信号からセルに関連する送信を減じるように構成され、前記減じられる送信が、前記第１のメトリックまたは前記第２のメトリックのうちの少なくとも１つに基づいて決定される、請求項１２に記載の装置。
【請求項１５】
各送信パラメータ仮説が、前記複数のセルからの各セルのためのセル固有送信パラメータを含み、改良するための前記手段が、
前記複数のセルからの各セルのための前記第２のメトリックを決定することと、
低減された受信信号を取得するために、前記受信信号からセルに関連する送信を減じることと、前記減じられる送信が、最も高い第２のメトリックを有する前記複数のセルからのセルに基づいて決定され、
前記改良された信号に基づいて、１つまたは複数のセルのための更新されたセル固有送信パラメータを決定することと、
前記１つまたは複数のセルのための更新された第２のメトリックを決定することと、を行うように構成される、請求項１２に記載の装置。
【請求項１６】
決定するステップ、選択するステップ、および改良するステップを反復的に繰り返すための手段をさらに備え、ここにおいて、前記決定することの各後続の繰り返しが、前の改良するステップの結果を使用する、請求項１２に記載の装置。
【請求項１７】
前記送信パラメータが、変調オーダー、トラフィック対パイロット比（ＴＰＲ）、空間方式、または干渉送信があるかどうかのうちの少なくとも１つを備える、請求項１２に記載の装置。
【請求項１８】
前記空間方式が、セル固有基準信号（ＣＲＳ）ベースの送信またはユーザ機器（ＵＥ）固有基準信号（ＵＥ−ＲＳ）ベースの送信のうちの１つを備える、請求項１７に記載の装置。
【請求項１９】
前記ＣＲＳベースの送信が、空間周波数ブロックコード（ＳＦＢＣ）送信、ランク１送信、ランク２送信、またはより高いランク送信のうちの１つを備える、請求項１８に記載の装置。
【請求項２０】
前記ＵＥ−ＲＳベースの送信が送信ランク情報を備える、請求項１８に記載の装置。
【請求項２１】
前記複数のセルのための前記送信パラメータ仮説を決定するための前記手段が、
前記複数のセルの各々のための送信パラメータ仮説を決定することと、
各送信パラメータ仮説のための前記第１のメトリックを決定することと、
各送信パラメータ仮説に関連する前記第１のメトリックに基づいて前記複数の送信パラメータ仮説をランク付けすることと、
を行うように構成される、請求項１２に記載の装置。
【請求項２２】
前記複数のセルの各々のための前記送信パラメータのための前記送信パラメータ仮説を決定するための前記手段が、仮説のセットを決定するように構成され、仮説の前記セットが、ｎ個の送信パラメータのための可能な値の各組合せのための仮説を含む、請求項２１に記載の装置。
【請求項２３】
受信信号中の推論を低減するための装置であって、
メモリと、
前記メモリに結合され、
複数のセルからの送信を含む信号を受信することと、
前記複数のセルに関連する送信パラメータ仮説を決定することと、前記送信パラメータ仮説からの各送信パラメータ仮説が、前記複数のセルからのすべてのセルに関連する送信パラメータのセットを含み、
各仮説に適用される第１のメトリックに基づいて少なくとも１つの送信パラメータ仮説を選択することと、
各セルに関連する第２のメトリックに基づいて前記少なくとも１つのセルに関連する前記送信パラメータの精度を個別に改善することによって、前記複数のセルからの少なくとも１つのセルに関連する送信パラメータを改良することと、前記送信パラメータが、前記少なくとも１つの選択された送信パラメータ仮説からであり、
を行うように構成される、
少なくとも１つのプロセッサと、
を備える、装置。
【請求項２４】
前記少なくとも１つのプロセッサが、各仮説に関連する前記第１のメトリックに基づく送信パラメータ仮説のランキングに基づいて前記少なくとも１つの送信パラメータ仮説を選択するように構成される、請求項２３に記載の装置。
【請求項２５】
前記少なくとも１つのプロセッサが、改良された信号を取得するために前記受信信号からセルに関連する送信を減じることによって、前記送信パラメータを改良するように構成され、前記減じられる送信が、前記第１のメトリックまたは前記第２のメトリックのうちの少なくとも１つに基づいて決定される、請求項２３に記載の装置。
【請求項２６】
各送信パラメータ仮説が、前記複数のセルからの各セルのためのセル固有送信パラメータを含み、前記少なくとも１つのプロセッサが、
前記複数のセルからの各セルのための前記第２のメトリックを決定することと、
低減された受信信号を取得するために、前記受信信号からセルに関連する送信を減じることと、前記減じられる送信が、最も高い第２のメトリックを有する前記複数のセルからのセルに基づいて決定され、
前記改良された信号に基づいて、１つまたは複数のセルのための更新されたセル固有送信パラメータを決定することと、
前記１つまたは複数のセルのための更新された第２のメトリックを決定することと、によって前記送信パラメータを改良するように構成される、請求項２３に記載の装置。
【請求項２７】
前記少なくとも１つのプロセッサが、決定するステップ、選択するステップ、および改良するステップを反復的に繰り返すようにさらに構成され、ここにおいて、前記決定することの各後続の繰り返しが、前の改良するステップの結果を使用する、請求項２３に記載の装置。
【請求項２８】
前記送信パラメータが、変調オーダー、トラフィック対パイロット比（ＴＰＲ）、空間方式、または干渉送信があるかどうかのうちの少なくとも１つを備える、請求項２３に記載の装置。
【請求項２９】
前記少なくとも１つのプロセッサが、
前記複数のセルの各々のための送信パラメータ仮説を決定することと、
各送信パラメータ仮説のための前記第１のメトリックを決定することと、
各送信パラメータ仮説に関連する前記第１のメトリックに基づいて前記複数の送信パラメータ仮説をランク付けすることと、
によって前記複数のセルのための前記送信パラメータ仮説を決定するように構成される、請求項２３に記載の装置。
【請求項３０】
受信信号中の推論を低減するためのコンピュータプログラム製品であって、
コンピュータ可読媒体を備え、前記コンピュータ可読媒体は、
複数のセルからの送信を含む信号を受信することと、
前記複数のセルに関連する送信パラメータ仮説を決定することと、前記送信パラメータ仮説からの各送信パラメータ仮説が、前記複数のセルからのすべてのセルに関連する送信パラメータのセットを含み、
各仮説に適用される第１のメトリックに基づいて少なくとも１つの送信パラメータ仮説を選択することと、
前記複数のセルからの少なくとも１つのセルに関連する送信パラメータを改良することと、前記送信パラメータが、前記少なくとも１つの選択された送信パラメータ仮説からであり、前記改良することが、各セルに関連する第２のメトリックに基づいて前記少なくとも１つのセルに関連する前記送信パラメータの精度を個別に改善することを含み、
を行うためのコードを備える、コンピュータプログラム製品。
【手続補正２】
【補正対象書類名】明細書
【補正対象項目名】００６６
【補正方法】変更
【補正の内容】
【００６６】
[0076]以上の説明は、本明細書で説明した様々な態様を当業者が実施できるようにするために与えたものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］  受信信号中の推論を低減する方法であって、
複数のセルからの送信を含む信号を受信することと、
前記複数のセルに関連する送信パラメータ仮説を決定することと、前記送信パラメータ仮説からの各送信パラメータ仮説が、前記複数のセルからのすべてのセルに関連する送信パラメータのセットを含み、
各仮説に適用される第１のメトリックに基づいて少なくとも１つの送信パラメータ仮説を選択することと、
前記複数のセルからの少なくとも１つのセルに関連する送信パラメータを改良することと、前記改良することが、各セルに関連する第２のメトリックに基づいて前記少なくとも１つのセルに関連する前記送信パラメータの精度を個別に改善することを含み、
を備える、方法。
［Ｃ２］  前記選択することが、各仮説に関連する前記第１のメトリックに基づく送信パラメータ仮説のランキングに基づく、Ｃ１に記載の方法。
［Ｃ３］  前記改良することが、改良された信号を取得するために、前記受信信号からセルに関連する送信を減じることをさらに備え、前記減じられる送信が、前記第１のメトリックまたは前記第２のメトリックのうちの少なくとも１つに基づいて決定される、Ｃ１に記載の方法。
［Ｃ４］  各送信パラメータ仮説が、前記複数のセルからの各セルのためのセル固有送信パラメータを含み、前記改良することが、
前記複数のセルからの各セルのための前記第２のメトリックを決定することと、
低減された受信信号を取得するために、前記受信信号からセルに関連する送信を減じることと、前記減じられる送信が、最も高い第２のメトリックを有する前記複数のセルからのセルに基づいて決定され、
前記改良された信号に基づいて、１つまたは複数のセルのための更新されたセル固有送信パラメータを決定することと、
前記１つまたは複数のセルのための更新された第２のメトリックを決定することと、
をさらに備える、Ｃ１に記載の方法。
［Ｃ５］  決定するステップ、選択するステップ、および改良するステップを反復的に繰り返すことをさらに備え、ここにおいて、前記決定することの各後続の繰り返しが、前の改良するステップの結果を使用する、Ｃ１に記載の方法。
［Ｃ６］  前記送信パラメータが、変調オーダー、トラフィック対パイロット比（ＴＰＲ）、空間方式、または干渉送信があるかどうかのうちの少なくとも１つを備える、Ｃ１に記載の方法。
［Ｃ７］  前記空間方式が、セル固有基準信号（ＣＲＳ）ベースの送信またはユーザ機器（ＵＥ）固有基準信号（ＵＥ−ＲＳ）ベースの送信のうちの１つを備える、Ｃ６に記載の方法。
［Ｃ８］  前記ＣＲＳベースの送信が、空間周波数ブロックコード（ＳＦＢＣ）送信、ランク１送信、ランク２送信、またはより高いランク送信のうちの１つを備える、Ｃ７に記載の方法。
［Ｃ９］  前記ＵＥ−ＲＳベースの送信が送信ランク情報を備える、Ｃ７に記載の方法。
［Ｃ１０］  前記複数のセルのための前記送信パラメータ仮説を前記決定することが、
前記複数のセルの各々のための送信パラメータ仮説を決定することと、
各送信パラメータ仮説のための前記第１のメトリックを決定することと、
各送信パラメータ仮説に関連する前記第１のメトリックに基づいて前記複数の送信パラメータ仮説をランク付けすることと、
を備える、Ｃ１に記載の方法。
［Ｃ１１］  前記複数のセルの各々のための前記送信パラメータのための前記送信パラメータ仮説を前記決定することが、仮説のセットを決定することを備え、仮説の前記セットが、ｎ個の送信パラメータのための可能な値の各組合せのための仮説を含む、Ｃ１０に記載の方法。
［Ｃ１２］  受信信号中の推論を低減するための装置であって、
複数のセルからの送信を含む信号を受信するための手段と、
前記複数のセルに関連する送信パラメータ仮説を決定するための手段と、前記送信パラメータ仮説からの各送信パラメータ仮説が、前記複数のセルからのすべてのセルに関連する送信パラメータのセットを含み、
各仮説に適用される第１のメトリックに基づいて少なくとも１つの送信パラメータ仮説を選択するための手段と、
前記複数のセルからの少なくとも１つのセルに関連する送信パラメータを改良するための手段と、前記改良することが、各セルに関連する第２のメトリックに基づいて前記少なくとも１つのセルに関連する前記送信パラメータの精度を個別に改善することを含み、
を備える、装置。
［Ｃ１３］  選択するための前記手段が、各仮説に関連する前記第１のメトリックに基づく送信パラメータ仮説のランキングに基づいて前記少なくとも１つの送信パラメータ仮説を選択するように構成される、Ｃ１２に記載の装置。
［Ｃ１４］  改良するための前記手段が、改良された信号を取得するために、前記受信信号からセルに関連する送信を減じるように構成され、前記減じられる送信が、前記第１のメトリックまたは前記第２のメトリックのうちの少なくとも１つに基づいて決定される、Ｃ１２に記載の装置。
［Ｃ１５］  各送信パラメータ仮説が、前記複数のセルからの各セルのためのセル固有送信パラメータを含み、改良するための前記手段が、
前記複数のセルからの各セルのための前記第２のメトリックを決定することと、
低減された受信信号を取得するために、前記受信信号からセルに関連する送信を減じることと、前記減じられる送信が、最も高い第２のメトリックを有する前記複数のセルからのセルに基づいて決定され、
前記改良された信号に基づいて、１つまたは複数のセルのための更新されたセル固有送信パラメータを決定することと、
前記１つまたは複数のセルのための更新された第２のメトリックを決定することと、を行うように構成される、Ｃ１２に記載の装置。
［Ｃ１６］  決定するステップ、選択するステップ、および改良するステップを反復的に繰り返すための手段をさらに備え、ここにおいて、前記決定することの各後続の繰り返しが、前の改良するステップの結果を使用する、Ｃ１２に記載の装置。
［Ｃ１７］  前記送信パラメータが、変調オーダー、トラフィック対パイロット比（ＴＰＲ）、空間方式、または干渉送信があるかどうかのうちの少なくとも１つを備える、Ｃ１２に記載の装置。
［Ｃ１８］  前記空間方式が、セル固有基準信号（ＣＲＳ）ベースの送信またはユーザ機器（ＵＥ）固有基準信号（ＵＥ−ＲＳ）ベースの送信のうちの１つを備える、Ｃ１７に記載の装置。
［Ｃ１９］  前記ＣＲＳベースの送信が、空間周波数ブロックコード（ＳＦＢＣ）送信、ランク１送信、ランク２送信、またはより高いランク送信のうちの１つを備える、Ｃ１８に記載の装置。
［Ｃ２０］  前記ＵＥ−ＲＳベースの送信が送信ランク情報を備える、Ｃ１８に記載の装置。
［Ｃ２１］  前記複数のセルのための前記送信パラメータ仮説を決定するための前記手段が、
前記複数のセルの各々のための送信パラメータ仮説を決定することと、
各送信パラメータ仮説のための前記第１のメトリックを決定することと、
各送信パラメータ仮説に関連する前記第１のメトリックに基づいて前記複数の送信パラメータ仮説をランク付けすることと、
を行うように構成される、Ｃ１２に記載の装置。
［Ｃ２２］  前記複数のセルの各々のための前記送信パラメータのための前記送信パラメータ仮説を決定するための前記手段が、仮説のセットを決定するように構成され、仮説の前記セットが、ｎ個の送信パラメータのための可能な値の各組合せのための仮説を含む、Ｃ２１に記載の装置。
［Ｃ２３］  受信信号中の推論を低減するための装置であって、
メモリと、
前記メモリに結合され、
複数のセルからの送信を含む信号を受信することと、
前記複数のセルに関連する送信パラメータ仮説を決定することと、前記送信パラメータ仮説からの各送信パラメータ仮説が、前記複数のセルからのすべてのセルに関連する送信パラメータのセットを含み、
各仮説に適用される第１のメトリックに基づいて少なくとも１つの送信パラメータ仮説を選択することと、
各セルに関連する第２のメトリックに基づいて前記少なくとも１つのセルに関連する前記送信パラメータの精度を個別に改善することによって、前記複数のセルからの少なくとも１つのセルに関連する送信パラメータを改良することと、
を行うように構成される、
少なくとも１つのプロセッサと、
を備える、装置。
［Ｃ２４］  前記少なくとも１つのプロセッサが、各仮説に関連する前記第１のメトリックに基づく送信パラメータ仮説のランキングに基づいて前記少なくとも１つの送信パラメータ仮説を選択するように構成される、Ｃ２３に記載の装置。
［Ｃ２５］  前記少なくとも１つのプロセッサが、改良された信号を取得するために前記受信信号からセルに関連する送信を減じることによって、前記送信パラメータを改良するように構成され、前記減じられる送信が、前記第１のメトリックまたは前記第２のメトリックのうちの少なくとも１つに基づいて決定される、Ｃ２３に記載の装置。
［Ｃ２６］  各送信パラメータ仮説が、前記複数のセルからの各セルのためのセル固有送信パラメータを含み、前記少なくとも１つのプロセッサが、
前記複数のセルからの各セルのための前記第２のメトリックを決定することと、
低減された受信信号を取得するために、前記受信信号からセルに関連する送信を減じることと、前記減じられる送信が、最も高い第２のメトリックを有する前記複数のセルからのセルに基づいて決定され、
前記改良された信号に基づいて、１つまたは複数のセルのための更新されたセル固有送信パラメータを決定することと、
前記１つまたは複数のセルのための更新された第２のメトリックを決定することと、によって前記送信パラメータを改良するように構成される、Ｃ２３に記載の装置。
［Ｃ２７］  前記少なくとも１つのプロセッサが、決定するステップ、選択するステップ、および改良するステップを反復的に繰り返すようにさらに構成され、ここにおいて、前記決定することの各後続の繰り返しが、前の改良するステップの結果を使用する、Ｃ２３に記載の装置。
［Ｃ２８］  前記送信パラメータが、変調オーダー、トラフィック対パイロット比（ＴＰＲ）、空間方式、または干渉送信があるかどうかのうちの少なくとも１つを備える、Ｃ２３に記載の装置。
［Ｃ２９］  前記少なくとも１つのプロセッサが、
前記複数のセルの各々のための送信パラメータ仮説を決定することと、
各送信パラメータ仮説のための前記第１のメトリックを決定することと、
各送信パラメータ仮説に関連する前記第１のメトリックに基づいて前記複数の送信パラメータ仮説をランク付けすることと、によって前記複数のセルのための前記送信パラメータ仮説を決定するように構成される、Ｃ２３に記載の装置。
［Ｃ３０］  受信信号中の推論を低減するためのコンピュータプログラム製品であって、
コンピュータ可読媒体を備え、前記コンピュータ可読媒体は、
複数のセルからの送信を含む信号を受信することと、
前記複数のセルに関連する送信パラメータ仮説を決定することと、前記送信パラメータ仮説からの各送信パラメータ仮説が、前記複数のセルからのすべてのセルに関連する送信パラメータのセットを含み、
各仮説に適用される第１のメトリックに基づいて少なくとも１つの送信パラメータ仮説を選択することと、
前記複数のセルからの少なくとも１つのセルに関連する送信パラメータを改良することと、前記改良することが、各セルに関連する第２のメトリックに基づいて前記少なくとも１つのセルに関連する前記送信パラメータの精度を個別に改善することを含み、
を行うためのコードを備える、コンピュータプログラム製品。
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
受信信号中の推論を低減する方法であって、
複数のセルからの送信を含む信号を受信することと、
前記複数のセルに関連する送信パラメータ仮説を決定することと、前記送信パラメータ仮説からの各送信パラメータ仮説が、前記複数のセルからのすべてのセルに関連する送信パラメータのセットを含み、
各送信パラメータ仮説に適用される第１の確率メトリックに基づいて少なくとも１つの送信パラメータ仮説を選択することと、
前記複数のセルからの少なくとも１つのセルに関連する送信パラメータを改良することと、前記送信パラメータが、前記少なくとも１つの選択された送信パラメータ仮説からであり、前記改良することが、各セルに関連する第２の確率メトリックに基づいて前記少なくとも１つのセルに関連する前記送信パラメータの精度を個別に改善することを含み、
を備える、方法。
【請求項２】
前記選択することが、各送信パラメータ仮説に関連する前記第１の確率メトリックに基づく送信パラメータ仮説のランキングに基づく、請求項１に記載の方法。
【請求項３】
前記改良することが、改良された信号を取得するために、前記受信信号からセルに関連する送信を減じることをさらに備え、前記減じられる送信が、前記第１の確率メトリックまたは前記第２の確率メトリックのうちの少なくとも１つに基づいて決定される、請求項１に記載の方法。
【請求項４】
各送信パラメータ仮説が、前記複数のセルからの各セルのためのセル固有送信パラメータを含み、前記改良することが、
前記複数のセルからの各セルのための前記第２の確率メトリックを決定することと、
低減された受信信号を取得するために、前記受信信号からセルに関連する送信を減じることと、前記減じられる送信が、最も高い第２の確率メトリックを有する前記複数のセルからのセルに基づいて決定され、
前記改良された信号に基づいて、１つまたは複数のセルのための更新されたセル固有送信パラメータを決定することと、
前記１つまたは複数のセルのための更新された第２の確率メトリックを決定することと、
をさらに備える、請求項１に記載の方法。
【請求項５】
決定するステップ、選択するステップ、および改良するステップを反復的に繰り返すことをさらに備え、ここにおいて、前記決定することの各後続の繰り返しが、前の改良するステップの結果を使用する、請求項１に記載の方法。
【請求項６】
前記送信パラメータが、変調オーダー、トラフィック対パイロット比（ＴＰＲ）、空間方式、または干渉送信があるかどうかのうちの少なくとも１つを備える、請求項１に記載の方法。
【請求項７】
前記空間方式が、セル固有基準信号（ＣＲＳ）ベースの送信またはユーザ機器（ＵＥ）固有基準信号（ＵＥ−ＲＳ）ベースの送信のうちの１つを備える、請求項６に記載の方法。
【請求項８】
前記ＣＲＳベースの送信が、空間周波数ブロックコード（ＳＦＢＣ）送信、ランク１送信、ランク２送信、またはより高いランク送信のうちの１つを備える、請求項７に記載の方法。
【請求項９】
前記ＵＥ−ＲＳベースの送信が送信ランク情報を備える、請求項７に記載の方法。
【請求項１０】
前記複数のセルのための前記送信パラメータ仮説を前記決定することが、
前記複数のセルの各々のための送信パラメータ仮説を決定することと、
各送信パラメータ仮説のための前記第１の確率メトリックを決定することと、
各送信パラメータ仮説に関連する前記第１の確率メトリックに基づいて前記複数の送信パラメータ仮説をランク付けすることと、
を備える、請求項１に記載の方法。
【請求項１１】
前記複数のセルの各々のための前記送信パラメータのための前記送信パラメータ仮説を前記決定することが、仮説のセットを決定することを備え、仮説の前記セットが、ｎ個の送信パラメータのための可能な値の各組合せのための仮説を含む、請求項１０に記載の方法。
【請求項１２】
受信信号中の推論を低減するための装置であって、
複数のセルからの送信を含む信号を受信するための手段と、
前記複数のセルに関連する送信パラメータ仮説を決定するための手段と、前記送信パラメータ仮説からの各送信パラメータ仮説が、前記複数のセルからのすべてのセルに関連する送信パラメータのセットを含み、
各送信パラメータ仮説に適用される第１の確率メトリックに基づいて少なくとも１つの送信パラメータ仮説を選択するための手段と、
前記複数のセルからの少なくとも１つのセルに関連する送信パラメータを改良するための手段と、前記送信パラメータが、前記少なくとも１つの選択された送信パラメータ仮説からであり、前記改良することが、各セルに関連する第２の確率メトリックに基づいて前記少なくとも１つのセルに関連する前記送信パラメータの精度を個別に改善することを含み、
を備える、装置。
【請求項１３】
選択するための前記手段が、各送信パラメータ仮説に関連する前記第１の確率メトリックに基づく送信パラメータ仮説のランキングに基づいて前記少なくとも１つの送信パラメータ仮説を選択するように構成される、請求項１２に記載の装置。
【請求項１４】
改良するための前記手段が、改良された信号を取得するために、前記受信信号からセルに関連する送信を減じるように構成され、前記減じられる送信が、前記第１の確率メトリックまたは前記第２の確率メトリックのうちの少なくとも１つに基づいて決定される、請求項１２に記載の装置。
【請求項１５】
各送信パラメータ仮説が、前記複数のセルからの各セルのためのセル固有送信パラメータを含み、改良するための前記手段が、
前記複数のセルからの各セルのための前記第２の確率メトリックを決定することと、
低減された受信信号を取得するために、前記受信信号からセルに関連する送信を減じることと、前記減じられる送信が、最も高い第２の確率メトリックを有する前記複数のセルからのセルに基づいて決定され、
前記改良された信号に基づいて、１つまたは複数のセルのための更新されたセル固有送信パラメータを決定することと、
前記１つまたは複数のセルのための更新された第２の確率メトリックを決定することと、を行うように構成される、請求項１２に記載の装置。
【請求項１６】
決定するステップ、選択するステップ、および改良するステップを反復的に繰り返すための手段をさらに備え、ここにおいて、前記決定することの各後続の繰り返しが、前の改良するステップの結果を使用する、請求項１２に記載の装置。
【請求項１７】
前記送信パラメータが、変調オーダー、トラフィック対パイロット比（ＴＰＲ）、空間方式、または干渉送信があるかどうかのうちの少なくとも１つを備える、請求項１２に記載の装置。
【請求項１８】
前記空間方式が、セル固有基準信号（ＣＲＳ）ベースの送信またはユーザ機器（ＵＥ）固有基準信号（ＵＥ−ＲＳ）ベースの送信のうちの１つを備える、請求項１７に記載の装置。
【請求項１９】
前記ＣＲＳベースの送信が、空間周波数ブロックコード（ＳＦＢＣ）送信、ランク１送信、ランク２送信、またはより高いランク送信のうちの１つを備える、請求項１８に記載の装置。
【請求項２０】
前記ＵＥ−ＲＳベースの送信が送信ランク情報を備える、請求項１８に記載の装置。
【請求項２１】
前記複数のセルのための前記送信パラメータ仮説を決定するための前記手段が、
前記複数のセルの各々のための送信パラメータ仮説を決定することと、
各送信パラメータ仮説のための前記第１の確率メトリックを決定することと、
各送信パラメータ仮説に関連する前記第１の確率メトリックに基づいて前記複数の送信パラメータ仮説をランク付けすることと、
を行うように構成される、請求項１２に記載の装置。
【請求項２２】
前記複数のセルの各々のための前記送信パラメータのための前記送信パラメータ仮説を決定するための前記手段が、仮説のセットを決定するように構成され、仮説の前記セットが、ｎ個の送信パラメータのための可能な値の各組合せのための仮説を含む、請求項２１に記載の装置。
【請求項２３】
受信信号中の推論を低減するための装置であって、
メモリと、
前記メモリに結合され、
複数のセルからの送信を含む信号を受信することと、
前記複数のセルに関連する送信パラメータ仮説を決定することと、前記送信パラメータ仮説からの各送信パラメータ仮説が、前記複数のセルからのすべてのセルに関連する送信パラメータのセットを含み、
各送信パラメータ仮説に適用される第１の確率メトリックのメトリックに基づいて少なくとも１つの送信パラメータ仮説を選択することと、
各セルに関連する第２の確率メトリックに基づいて前記少なくとも１つのセルに関連する前記送信パラメータの精度を個別に改善することによって、前記複数のセルからの少なくとも１つのセルに関連する送信パラメータを改良することと、前記送信パラメータが、前記少なくとも１つの選択された送信パラメータ仮説からであり、
を行うように構成される、
少なくとも１つのプロセッサと、
を備える、装置。
【請求項２４】
前記少なくとも１つのプロセッサが、各送信パラメータ仮説に関連する前記第１の確率メトリックに基づく送信パラメータ仮説のランキングに基づいて前記少なくとも１つの送信パラメータ仮説を選択するように構成される、請求項２３に記載の装置。
【請求項２５】
前記少なくとも１つのプロセッサが、改良された信号を取得するために前記受信信号からセルに関連する送信を減じることによって、前記送信パラメータを改良するように構成され、前記減じられる送信が、前記第１の確率メトリックまたは前記第２の確率メトリックのうちの少なくとも１つに基づいて決定される、請求項２３に記載の装置。
【請求項２６】
各送信パラメータ仮説が、前記複数のセルからの各セルのためのセル固有送信パラメータを含み、前記少なくとも１つのプロセッサが、
前記複数のセルからの各セルのための前記第２の確率メトリックを決定することと、
低減された受信信号を取得するために、前記受信信号からセルに関連する送信を減じることと、前記減じられる送信が、最も高い第２の確率メトリックを有する前記複数のセルからのセルに基づいて決定され、
前記改良された信号に基づいて、１つまたは複数のセルのための更新されたセル固有送信パラメータを決定することと、
前記１つまたは複数のセルのための更新された第２の確率メトリックを決定することと、によって前記送信パラメータを改良するように構成される、請求項２３に記載の装置。
【請求項２７】
前記少なくとも１つのプロセッサが、決定するステップ、選択するステップ、および改良するステップを反復的に繰り返すようにさらに構成され、ここにおいて、前記決定することの各後続の繰り返しが、前の改良するステップの結果を使用する、請求項２３に記載の装置。
【請求項２８】
前記送信パラメータが、変調オーダー、トラフィック対パイロット比（ＴＰＲ）、空間方式、または干渉送信があるかどうかのうちの少なくとも１つを備える、請求項２３に記載の装置。
【請求項２９】
前記少なくとも１つのプロセッサが、
前記複数のセルの各々のための送信パラメータ仮説を決定することと、
各送信パラメータ仮説のための前記第１の確率メトリックを決定することと、
各送信パラメータ仮説に関連する前記第１の確率メトリックに基づいて前記複数の送信パラメータ仮説をランク付けすることと、
によって前記複数のセルのための前記送信パラメータ仮説を決定するように構成される、請求項２３に記載の装置。
【請求項３０】
受信信号中の推論を低減するためのコンピュータプログラム製品であって、
コンピュータ可読媒体を備え、前記コンピュータ可読媒体は、
複数のセルからの送信を含む信号を受信することと、
前記複数のセルに関連する送信パラメータ仮説を決定することと、前記送信パラメータ仮説からの各送信パラメータ仮説が、前記複数のセルからのすべてのセルに関連する送信パラメータのセットを含み、
各送信パラメータ仮説に適用される第１の確率メトリックに基づいて少なくとも１つの送信パラメータ仮説を選択することと、
前記複数のセルからの少なくとも１つのセルに関連する送信パラメータを改良することと、前記送信パラメータが、前記少なくとも１つの選択された送信パラメータ仮説からであり、前記改良することが、各セルに関連する第２の確率メトリックに基づいて前記少なくとも１つのセルに関連する前記送信パラメータの精度を個別に改善することを含み、
を行うためのコードを備える、コンピュータプログラム製品。
【国際調査報告】
2016523010.tif 000015
2016523010.tif 000016